(57)【要約】【課題】組み合わせ効率がよくなり、経済型シュレッダーのカッター部の構造を提供する。【解決手段】主に軸と、カッターセットとを含み、軸は両側に削面或いは凹槽に加工され、カッターセットは２つのカッターを合わせたもので、２つのカッターは中心に貫通孔を有し、且つ、軸を貫通させることができ、そのうち１つのカッターは貫通孔の縁辺に少なくとも１つ以上の凸部を有し、凸部の幅は従来のワッシャーの幅と同じ幅にする。【選択図】図２−１
0003122126.tif 000002
【実用新案登録請求の範囲】
【請求項１】
主に軸と、カッターセットとを含み、該軸はシュレッダーのカッター部の回転軸をなし、該カッターセットは２つのカッターを合わせたもので、該２つの該カッターは中心に貫通孔を有し、且つ、該軸を貫通させることができ、該貫通孔の形状は該軸の断面形状と同じであり、そのうち１つのカッターは貫通孔の縁辺に少なくとも１つ以上の凸部を有することを特徴とする経済型シュレッダーのカッター部。
【請求項２】
該カッターセットのうち１つのカッターは貫通孔の縁辺に少なくとも１つ以上の凸部を有することを特徴とする請求項１記載の経済型シュレッダーのカッター部。
【請求項３】
該カッターセットの重なり合う２つのカッターの貫通孔の各外側縁辺にそれぞれ少なくとも１つの凸部を有することを特徴とする請求項１記載の経済型シュレッダーのカッター部。
【請求項４】
該軸は両側に平板底状の凹槽に加工され、該凸部は軸の凹槽内に嵌入することができる形状であることを特徴とする請求項１記載の経済型シュレッダーのカッター部。
【請求項５】
該軸は両側に弧形底状の凹槽に加工され、該凸部は軸の凹槽内に嵌入することができる形状であることを特徴とする請求項１記載の経済型シュレッダーのカッター部。
【考案の詳細な説明】
【技術分野】
【０００１】
本考案は一種の経済型シュレッダーのカッター部構造を提供するもので、そのうち１つのカッターは貫通孔の縁辺に少なくとも１つ以上の凸部を有し、
該凸部の幅は従来のワッシャーの幅と同じ幅にすることにより、従来のワッシャーと同じ効果を達成することができ、該凸部の幅により各カッターセット間の距離、即ち、裁断の距離を調整することができるシュレッダーのカッター部に関するものである。
【背景技術】
【０００２】
従来のシュレッダーのカッター部は図１が示す如く、主に軸(100)と、カッターセット(200)と、ワッシャー(300)とを含み、
該軸(100)の断面は六角形或いは十二角形で、
該カッターセット(200)は２つのカッター(201)(202)を合わせたものであり、
該カッター(201)(202)の貫通孔(2011)(2021)は六角形或いは十二角形であり、軸(100)により貫通され、
図１〜１が示す如く、隣合う各カッターセット(200)の間にワッシャー(300)がそれぞれ設置され、ワッシャー(300)の厚さにより各カッターセット(200)間の距離を調整することができるが、ワッシャー(300)を必要とする設計によりコストがかかり、組み合わせ効率がよくないという欠点がある。
【考案の開示】
【考案が解決しようとする課題】
【０００３】
本考案は、上記従来のカッター部の欠点を解決することを課題とする。
【課題を解決するための手段】
【０００４】
本考案の主な目的は一種の経済型シュレッダーのカッター部の構造を提供するもので、
主に軸と、カッターセットとを含み、
該軸は両側に削面或いは凹槽に加工され、
該カッターセットは２つのカッターを合わせたもので、
該２つの該カッターは中心に貫通孔を有し、
且つ、該軸を貫通させることができ、
そのうち１つのカッターは貫通孔の縁辺に少なくとも１つ以上の凸部を有し、
該凸部の幅は従来のワッシャーの幅と同じ幅にすることにより、従来のワッシャーと同じ効果を達成することができ、組み合わせ効率がよくなる。
【考案の効果】
【０００５】
上記構造により該凸部の幅は従来のワッシャーの幅と同じ幅にすることにより、従来のワッシャーと同じ効果を達成することができ、組み合わせ効率がよくなる。
【考案を実施するための最良の形態】
【０００６】
以下、本考案の構造の特徴及びその効果を以下に実施例とそれに合わせた図式及び詳細な説明を列挙し、本考案の長所を詳述する。
【実施例１】
【０００７】
本考案の構造の特徴及びその効果を以下に実施例とそれに合わせた図式及び詳細な説明を列挙し、本考案の長所を詳述する。
本考案の実施例は図２、２〜１が示す如く、
主に軸(1)と、カッターセット(2)とを含み、
柱状の該軸(1)はシュレッダーのカッター部の回転軸をなし、
両側は削面(11)に加工され、
該カッターセット(2)は２つのカッター(21)(22)を合わせたもので、
該２つの該カッター(21)(22)は中心に貫通孔(211)(221)を有し、
且つ、該軸(1)を貫通させることができ、
該貫通孔(211)(221)の形状は該軸(1)の断面形状と同じであり、
そのうち１つのカッター(21)は貫通孔(211)の縁辺に少なくとも１つ以上の
凸部(212)を有し、
該凸部(212)の幅は従来のワッシャーの幅と同じ幅にすることにより、従来のワッシャーと同じ効果を達成することができ、
即ち、該凸部(212)の幅により各カッターセット(2)間の距離を調整することができ、裁断の距離を調整することができる（図２〜２）。
【実施例２】
【０００８】
本考案のもう１つの実施例は図２〜３が示す如く、
該カッターセット(2)の重なり合う２つのカッター(21)(22)の貫通孔(211)(221)の各外側縁辺にそれぞれ少なくとも１つの凸部(212’)(222)を有し、隣合う凸部(222)と凸部(212’)の幅の合計が従来のワッシャーと同じ幅になるようにする。
【実施例３】
【０００９】
本考案の更にもう１つの実施例は図３、３〜１が示す如く、
該軸(3)は柱状で、両側は凹槽(31)に加工され、
該カッターセット(4)は２つのカッター(41)(42)を合わせたもので、
該２つの該カッター(41)(42)は中心に貫通孔(411)(421)を有し、
且つ、該軸(3)を貫通させることができ、
該貫通孔(411)の形状は該軸(3)の断面形状と同じであり、
そのうち１つのカッター(41)は貫通孔(411)の縁辺に少なくとも１つ以上の
凸部(412)を有し、
該凸部(412)は軸(3)の凹槽(31)内に嵌入することができる。
【実施例４】
【００１０】
本考案の更にもう１つの実施例は図４、４〜１が示す如く、
該軸(5)は柱状で、両側は弧形底状の凹槽(51)に加工され、
該カッターセット(6)は２つのカッター(61)(62)を合わせたもので、
該２つの該カッター(61)(62)は中心に貫通孔(611)(621)を有し、
且つ、該軸(5)を貫通させることができ、
該貫通孔(611)の形状は該軸(5)の断面形状と同じであり、
そのうち１つのカッター(61)は貫通孔(611)の縁辺に凹槽(51)底面と相対する
弧形状の凸部(612)を少なくとも１つ以上有し、
該凸部(612)は軸(5)の凹槽(51)内に嵌入することができる。
【図面の簡単な説明】
【００１１】
【図１】従来のシュレッダーの分解図である。
【図１−１】従来のシュレッダーの組み合わせ平面図である。
【図２】本考案のシュレッダーの組み合わせ図である。
【図２−１】本考案のシュレッダーの分解図である。
【図２−２】本考案のシュレッダーの組み合わせ平面図である。
【図２−３】本考案のシュレッダーのもう１つの組み合わせ平面図である。
【図３】本考案のシュレッダーの実施例の組み合わせ図である。
【図３−１】本考案のシュレッダーの実施例の分解図である。
【図４】本考案のシュレッダーのもう１つの実施例の組み合わせ図である。
【図４−１】本考案のシュレッダーのもう１つの実施例の分解図である。
【符号の説明】
【００１２】
従来の符号；
１００              軸
２００              カッターセット
２０１，２０２      カッター
２０１１，２０２１  貫通孔
３００              ワッシャー
本考案の符号：
１                  軸
１１                削面
２                  カッターセット
２１，２２          カッター
２１１，２２１      貫通孔
２１２，２１２’    凸部
２２２              凸部
３                  軸
３１                凹槽 
４                  カッターセット
４１，４２          カッター
４１１，４２１      貫通孔
４１２              凸部
５                  軸
５１                凹槽
６                  カッターセット
６１，６２          カッター
６１１，６２１      貫通孔
６１２              凸部
【図１】
0003122126.tif 000003
【図１−１】
0003122126.tif 000004
【図２】
0003122126.tif 000005
【図２−１】
0003122126.tif 000006
【図２−２】
0003122126.tif 000007
【図２−３】
0003122126.tif 000008
【図３】
0003122126.tif 000009
【図３−１】
0003122126.tif 000010
【図４】
0003122126.tif 000011
【図４−１】
0003122126.tif 000012